(57)【要約】【課題】車輪の外周面に付着した汚れを、より簡易な構造で、より効率的に取り除くことができるキャスターを提供する。【解決手段】キャスター１は、地面に接触するメインローラ３と、メインローラ３より小さなローラ径の円柱形状を有し、その側面が、メインローラ３の外周面に当接しながら回転することにより、メインローラ３の外周面に付着した汚れを落とす掃除用ローラ４とを備える。掃除用ローラ４の側面は、フェルト素材（吸着素材）４１で被覆されている。この構成により、本発明は、メインローラ３の外周面に付着した汚れを、より簡易な構造で、より効率的に取り除くことができる。【選択図】図１
2019111940.tif 000002
【特許請求の範囲】
【請求項１】
移動体の脚部に用いられるキャスターであって、
地面に接触しながら回転するメインローラと、
前記メインローラより小さなローラ径の円柱形状を有し、その側面が、前記メインローラの外周面に当接しながら回転することにより、前記メインローラの外周面に付着した汚れを落とす掃除用ローラと、を備え、
前記掃除用ローラの側面は、吸着素材で被覆されている、ことを特徴とするキャスター。
【請求項２】
前記吸着素材は、フェルト素材である、ことを特徴とする請求項１記載のキャスター。
【請求項３】
前記掃除用ローラは、第一の掃除用ローラ及び第二の掃除用ローラから構成され、
前記第一の掃除用ローラ及び前記第二の掃除用ローラは、前記メインローラの外周面に上方から当接し、且つ、前記キャスターの側面視において、前記メインローラの車軸を通る線に対して線対称となる位置にそれぞれが配置される、ことを特徴とする請求項１又は２に記載のキャスター。
【請求項４】
前記キャスターは、
前記掃除用ローラと前記メインローラとの当接／非当接の状態の調整により、前記掃除用ローラと前記メインローラとが非接触となる開放状態、前記掃除用ローラと前記メインローラとが軽く接触する掃除状態、又は前記掃除用ローラと前記メインローラとが強く接触するロック状態の調整を可能とし、
前記掃除用ローラは、前記メインローラとの当接／非当接の状態を調整するために、当該掃除用ローラを上下に往復させるための移動機構部に接続される、ことを特徴とする請求項１乃至３のいずれか一項に記載のキャスター。
【請求項５】
前記キャスターは、さらに、前記メインローラの車軸を受けるための軸受体を備え、
前記軸受体は、少なくとも、前記移動体の脚部に固定されるプレート部と、下方に延長した一対のアーム部を有して前記メインローラの車軸を回転可能に固定するための軸受アーム部と、を備え、
前記移動機構部は、少なくとも、前記一対のアーム部に形成された円孔に貫通して回転可能に係止されている操作軸を備え、当該操作軸を回転させることにより、前記開放状態、前記掃除状態、又は前記ロック状態の何れかの状態に調整される、ことを特徴とする請求項４記載のキャスター。
【請求項６】
前記移動機構部は、前記操作軸と、少なくとも一部が水平状に延長した略棒状体であって、前記操作軸の回転に伴って上下に往復するようにボルトによって支持された調整棒と、前記調整棒の両端側に一体形成されて前記メインローラの回転方向と直交する方向に沿って延出された係止軸と、を備え、
前記操作軸の前記調整棒と接する側には凸部が形成され、
円柱形状の前記掃除用ローラの回転軸には、前記係止軸が挿入され、
前記調整棒には、前記操作軸の凸部と嵌合して前記操作軸の回転に伴って当該調整棒を上下に往復させるための凹部が形成される、ことを特徴とする請求項５に記載のキャスター。
【請求項７】
前記調整棒には、さらに、下方に延びる突起部が形成されている、ことを特徴とする請求項６に記載のキャスター。
【請求項８】
前記調整棒には前記ボルトが上下方向で貫通するための貫通穴が形成され、
前記ボルトの頭部側には弾性体が通される、ことを特徴とする請求項６又は７に記載のキャスター。
【請求項９】
前記操作軸には、第一凸部と、当該第一凸部より大きな第二凸部とが形成され、
前記調整棒の前記凹部には、前記第一凸部及び前記第二凸部と嵌合する第一凹部と、第二凹部とが形成されている、ことを特徴とする請求項８に記載のキャスター。
【発明の詳細な説明】
【技術分野】
【０００１】
本発明は、台車、荷台などの移動体の脚部に取り付けられるキャスターに関する。
【背景技術】
【０００２】
従来より、荷物を運搬する際に、いわゆる足回りとしてキャスターが脚部に接続された台車や荷台などの移動体が広く一般に用いられている。このようなキャスターを備えた台車や荷台などは、スーパーマーケット、工事現場、医療現場などの様々な場所で用いられている。
【０００３】
キャスターを用いた移動体は旋回するなど小回りが利くために、屋内から屋外に出て、そのまま屋外から屋内に戻って使用される場面が多々ある。このような場合、キャスターの車輪に付着した埃、塵、髪の毛や砂といったゴミがそのまま屋外から屋内に持ち込まれ、屋内の床面を汚すという問題がある。特に、病院など清潔区域が限定されている建物の場合には、このようなキャスターの車輪の汚れは非常に大きな問題となっている。
【０００４】
従来、キャスターの車輪に付着した汚れを落とすには、例えば大きなバスタオルを水で濡らして屋内と屋外との境界領域に敷き、屋外なら屋内に入る際に、キャスターを備えた移動体をそのバスタオル上で何回か前後動させることで、車輪に付着した汚れを落とす。
【０００５】
また、例えば、図９（ａ）に示すように、キャスター１０に防塵カバー１０ａが設けられ、これによりローラ部の外周面に付着したゴミや髪の毛を除去する構造が知られている（例えば、特許文献１参照）。また、図９（ｂ）に示すように、ブラシ状の異物巻き込み防止体１１ａを、上部からキャスター１１の車輪部に接するように取り付けて、キャスター１１の車輪の糸屑や毛髪などの異物が巻き込むのを防止したものも開示されている（例えば、特許文献２参照）。さらに、スポンジなどの車輪清掃手段が車輪に当接するように、クリップによって車輪近傍に着脱自在に装着された車輪清掃装置も開示されている（例えば、特許文献３参照）。
【先行技術文献】
【特許文献】
【０００６】
【特許文献１】実用新案登録第3158058号
【特許文献２】実開平5-72504号公報
【特許文献３】特開2000-166973号公報
【発明の概要】
【発明が解決しようとする課題】
【０００７】
しかしながら、上述した特許文献１に示す構造ではキャスターの車輪に付着したゴミを確実且つ効果的に落とすことはできていない。また、バスタオルを敷く手段は非常に手間を要し、さらに、従来の他のキャスターの車輪の汚れを落とすための構造は複雑であり、未だ多くの実用化に到っていないのが現実である。
【０００８】
本発明は、上記課題に鑑みてなされたものであり、キャスターの車輪の外周面に付着した汚れを、より簡易な構造で、より効率的に取り除くことができるキャスターを提供することを目的とする。
【課題を解決するための手段】
【０００９】
上記課題を解決するため、本発明は、移動体の脚部に用いられるキャスターであって、地面に接触しながら回転するメインローラと、前記メインローラより小さなローラ径の円柱形状を有し、その側面が、前記メインローラの外周面に当接しながら回転することにより、前記メインローラの外周面に付着した汚れを落とす掃除用ローラと、を備え、前記掃除用ローラの側面は、吸着素材で被覆されていることを特徴とするものである。
【００１０】
このキャスターにおいて、前記吸着素材は、フェルト素材であることが好ましい。
【００１１】
このキャスターにおいて、前記掃除用ローラは、第一の掃除用ローラ及び第二の掃除用ローラから構成され、前記第一の掃除用ローラ及び前記第二の掃除用ローラは、前記メインローラの外周面に上方から当接し、且つ、前記キャスターの側面視において、前記メインローラの車軸を通る線に対して線対称となる位置にそれぞれが配置されることが好ましい。
【００１２】
このキャスターにおいて、前記キャスターは、前記掃除用ローラと前記メインローラとの当接／非当接の状態の調整により、前記掃除用ローラと前記メインローラとが非接触となる開放状態、前記掃除用ローラと前記メインローラとが軽く接触する掃除状態、又は前記掃除用ローラと前記メインローラとが強く接触するロック状態の調整を可能とし、前記掃除用ローラは、前記メインローラとの当接／非当接の状態を調整するために、当該掃除用ローラを上下に往復させるための移動機構部に接続されることが好ましい。
【００１３】
このキャスターにおいて、前記キャスターは、さらに、前記メインローラの車軸を受けるための軸受体を備え、前記軸受体は、少なくとも、前記移動体の脚部に固定されるプレート部と、下方に延長した一対のアーム部を有して前記メインローラの車軸を回転可能に固定するための軸受アーム部と、を備え、前記移動機構部は、少なくとも、前記一対のアーム部に形成された円孔に貫通して回転可能に係止されている操作軸を備え、当該操作軸を回転させることにより、前記開放状態、前記掃除状態、又は前記ロック状態の何れかの状態に調整されることが好ましい。
【００１４】
このキャスターにおいて、前記移動機構部は、前記操作軸と、少なくとも一部が水平状に延長した略棒状体であって、前記操作軸の回転に伴って上下に往復するようにボルトによって支持された調整棒と、前記調整棒の両端側に一体形成されて前記メインローラの回転方向と直交する方向に沿って延出された係止軸と、を備え、前記操作軸の前記調整棒と接する側には凸部が形成され、円柱形状の前記掃除用ローラの回転軸には、前記係止軸が挿入され、前記調整棒には、前記操作軸の凸部と嵌合して前記操作軸の回転に伴って当該調整棒を上下に往復させるための凹部が形成されることが好ましい。
【００１５】
このキャスターにおいて、前記調整棒には、さらに、下方に延びる突起部が形成されていることが好ましい。
【００１６】
このキャスターにおいて、前記調整棒には前記ボルトが上下方向で貫通するための貫通穴が形成され、前記ボルトの頭部側には弾性体が通されることが好ましい。
【００１７】
このキャスターにおいて、前記操作軸には、第一凸部と、当該第一凸部より大きな第二凸部とが形成され、前記調整棒の前記凹部には、前記第一凸部及び前記第二凸部と嵌合する第一凹部と、第二凹部とが形成されていることが好ましい。
【発明の効果】
【００１８】
本発明に係るキャスターは、地面に接触するメインローラと、メインローラより小さなローラ径の円柱形状を有し、その側面が、前記メインローラの外周面に当接しながら回転することによりメインローラの外周面に付着した汚れを落とす。この掃除用ローラの側面は、例えばフェルト素材で被覆されている。この構成により、本願発明に係るキャスターでは、車輪（メインローラ）の外周面に付着した汚れを、より簡易な構造で、より効率的に取り除くことができる。
【図面の簡単な説明】
【００１９】
【図１】本発明の実施の形態に係るキャスターの開放状態における一部透視側面図である。
【図２】同上キャスターの掃除状態における一部透視側面図である。
【図３】同上キャスターのロック状態における一部透視側面図である。
【図４】（ａ）同上キャスターの斜視図、（ｂ）図４（ａ）Ｂ線の拡大図である。
【図５】（ａ）同上キャスターの移動機構部の一部分解斜視図、（ｂ）図１のＡ線の拡大図である。
【図６】（ａ）〜（ｃ）本発明の実施の形態の変形例１に係るキャスターの移動機構部の説明図である。
【図７】本発明の実施の形態の変形例２に係るキャスターの一部透視側面図である。
【図８】本発明の実施の形態の変形例３に係るキャスターの一部透視側面図である。
【図９】（ａ）及び（ｂ）従来のキャスターの構造の説明図である。
【発明を実施するための形態】
【００２０】
（実施の形態）
本発明の実施の形態に係るキャスターについて図１乃至図５を参照して説明する。キャスターは、台車、荷台など移動体の脚部に用いられるものであり、ローラ部が旋回しない固定型や、ローラ部が旋回して自在に向きを変えることができるキャスターがある。
【００２１】
最初に、本実施の形態に係るキャスターの構造に関して、図面を参照しながら説明する。なお、図中において点線で示す箇所（矢印を除く）が透視部の構造となる。
【００２２】
図１〜図３は、キャスター１の側面図を示しており、このキャスター１は、軸受体２と、メインローラ３と、掃除用ローラ４と、移動機構部５とを備える。なお、キャスター１は、掃除用ローラ４とメインローラ３との当接／非当接の状態の調整により、図１に示す掃除用ローラ４とメインローラ３とが非接触となる開放状態（交換状態）、図２に示す掃除用ローラ４とメインローラ４とが軽く接触する掃除状態、及び図３に示す掃除用ローラ４とメインローラ３とが強く接触するロック状態の３段階の調整を容易に可能としている。
【００２３】
本実施の形態において、軸受体２は、メインローラ３の車軸を受ける固定型の部材であり、プレート部２１と、軸受アーム部２２と、車輪軸２３とを備える。プレート部２１は、複数の貫通孔を有して、移動体の脚部にねじ止めなどの方法により取付・固定される。軸受アーム部２２は、図４に示すように、下方に延長してメインローラ３の車軸を回転可能に固定するための一対のアーム部２２ａ，２２ｂを備える。
【００２４】
メインローラ３は、床面（地面）と接触しながら回転し、キャスター１が取り付けられた移動体を自在に移動させるための車輪である。メインローラ３の車軸は、軸受体２の軸受アーム部２２に車輪軸２３を介して回転可能に固定されている。なお、メインローラ３の車輪径や車輪幅はキャスター１の耐荷重に応じて適宜最適なものが選択されて使用される。
【００２５】
掃除用ローラ４は、メインローラ３より小さなローラ径の円柱状を有し、その側面が、メインローラ３の外周面に当接しながら回転することによって、メインローラ３の外周面に付着した汚れを落とす。
【００２６】
掃除用ローラ４は、メインローラ３の外周面と当接するその側面が例えばフェルト素材４１で被覆されている。このフェルト素材（吸着素材）４１は、動物や化学繊維などの毛を、薄く板状に圧縮して作るシート状素材であり、クッション性があり、引張や摩擦に強いという特性を有する。また、メインローラ３の外周面に付着した塵や髪の毛などとよく絡み合って離れなくなるために、効率的にメインローラ３の外周面に付着した汚れを落とすことが可能となる。なお、掃除用ローラ４の外周面を被覆する素材はフェルト素材４１に限定されるものではなく、不織布、粘着素材など、その他のメインローラ３の外周面に付着したゴミなどの汚れを効率的に取り除くことができる素材であれば良い。
【００２７】
また、本実施の形態において、掃除用ローラ４は、第一の掃除用ローラ４ａ及び第二の掃除用ローラ４ｂから構成される。第一の掃除用ローラ４ａ及び第二の掃除用ローラ４ｂは、メインローラ３の外周面に上方から当接し、且つ、キャスター１の側面視において、メインローラ３の車軸を通る線３ａに対して例えば線対称となる位置にそれぞれが配置される。この構成により、移動体を移動する際に両方向に回転するメインローラ３の回転方向に応じて、第一の掃除用ローラ４ａ及び第二の掃除用ローラ４ｂの少なくとも一方が効率的に、メインローラ３の外周面に付着したゴミなどの汚れを効率的に取り除くことができる。なお、必ずしも第一の掃除用ローラ４ａと第二の掃除用ローラ４ｂとが線３ａに対して線対称に配置される必要性はなく、第一の掃除用ローラ４ａと第二の掃除用ローラ４ｂとがメインローラ３の車軸を通る線３ａに対して反対側などに位置していれば良い。
【００２８】
次に、本実施の形態に係るキャスター１に備わる移動機構部５に関して、図面を参照しながら説明する。
【００２９】
移動機構部５は、メインローラ３と掃除用ローラ４との当接／非当接の状態を調整するために掃除用ローラ４に接続され、掃除用ローラ４を上下に往復させる構造を有する。本実施の形態において、操作軸５１は、ユーザがメインローラ３と掃除用ローラ４との当接／非当接の状態を調整するための操作部であり、軸受アーム部２２の一対のアーム部２２ａ，２２ｂに形成された円孔２４に貫通して回転可能に係止されている。
【００３０】
ユーザは、この操作軸５１を図１に示す矢印Ｙの方向に回転させることで上述した開放状態（交換状態）／掃除状態／ロック状態の３段階の調整をする。具体的には、図１に示すように、操作軸５１が０度回転の状態において掃除用ローラ４とメインローラ３とが非接触となる開放状態（交換状態）となる。また、図２に示すように、操作軸５１を図１の状態から４５度回転させることで掃除用ローラ４が少し下がり、掃除用ローラ４とメインローラ４とが軽く接触する掃除状態となる。またさらに、図３に示すように、操作軸５１を図２の状態から４５度回転させる（又は図１の状態から９０度回転させる）ことで掃除用ローラ４が押し下がり、メインローラ３のロック状態となる。なお、開放状態（交換状態）では、メインローラ３と掃除用ローラ４との間に空隙があるため、汚れがついてきたフェルト素材４１を新たなフェルト素材４１に張り替えることができる。
【００３１】
操作軸５１は、図５（ａ）に示すように、２か所で直角に折れ曲がった形状を有し、調整棒５２と接する側面には例えば偏心プーリ形状の凸部５１ａが形成されている。なお、凸部５１ａの構造はこれに限定されるものではない。
【００３２】
移動機構部５は、操作軸５１と、一対の調整棒５２と、係止軸５３とを備える。調整棒５２は、少なくとも一部が水平状に延長した略棒状体であって、操作軸５１の回転に伴って上下に往復可能とするように、軸受アーム部２２の上面プレートに一端が支持されたボルト６によって支持されている。係止軸５３は、調整棒５２の両端側に一体形成されてメインローラ３の回転方向と直交する方向に沿って延出される。より詳細には、図５（ａ）に示すように、調整棒５２にはボルト６が上下方向で貫通するための貫通穴５２ｃが形成されている。この構成では調整棒５２がボルト６で支えられるので調整棒５２の両端側に配置された掃除用ローラ４の位置がずれることがない。また、図５（ｂ）に示すように、ボルト６の頭部６ａ側にはバネ（弾性体）７が通されており、バネ７で調整棒５２を押し上げることができる。
【００３３】
円柱形状の第一の掃除用ローラ４ａ及び第二の掃除用ローラ４ｂの回転軸４ｃには係止軸５３が挿入され、この構成により、調整棒５２の両端で掃除用ローラ４ａ，４ｂを回転可能に保持することができる。
【００３４】
調整棒５２には、図５（ａ）に示すように、操作軸５１の凸部５１ａと嵌合する凹部５２ａが形成され、この嵌合構造により、操作軸５１の矢印Ｙで示す回転に伴って掃除用ローラ４を上下に往復させることができる。なお、掃除用ローラ４とメインローラ３との開放状態（交換状態）／掃除状態／ロック状態の調整を可能にするための構造は凸部５１ａと凹部５２ａとの嵌合構造に限定されるものではなく、その他、掃除用ローラ４を上下に往復させることができる構造であればよい。
【００３５】
また、調整棒５２には、図５（ａ）に示すように、その長手方向の中央下面において、ロック状態においてメインローラ３を上方から強固に固定するために、凹部５２ａの下側において、下方に延びる突起部５２ｂが形成されている。この構成により、操作軸５１を図３の状態にまで回転した際に、掃除用ローラ４ａ，４ｂが押し下がった際のメインローラ３への押圧のみではなく、この突起部５２ｂがメインローラ３を外側から強固に固定して、メインローラ３を確実にロックできる。
【００３６】
すなわち、この構成により、操作軸５１を矢印Ｙの方向に回転することにより、掃除用ローラ４とメインローラ３との間の開放状態（交換状態）／掃除状態／ロック状態の３状態を、ブレーキ（操作軸５１）を踏む／持ち上げる要領で容易に変更することができる。この結果、メインローラ３の外周面の清掃が必要でないときには、掃除用ローラ４とメインローラ３とを離した開放状態を維持できる。一方、メインローラ３の外周面の清掃が必要な汚れた時にのみ、ブレーキを踏む要領で操作軸５１を図２に示す位置にまで踏み込み、掃除用ローラ４を下げてメインローラ３に当接させて、メインローラ３の外周面に付着した汚れを掃除することができる。さらに、キャスター１の不使用時などにおいては、ブレーキを踏む要領で操作軸５１を図３に示す位置にまで踏み込み、掃除用ローラ４を用いてメインローラ３をロック状態にしておくことができる。
【００３７】
さらに、操作軸５１を０度の開放状態（交換状態）にすることで、第一の掃除用ローラ４ａ及び第二の掃除用ローラ４ｂのフェルト素材４１を簡単に剥がして新たなフェルト素材４１を付着できる。また、第一の掃除用ローラ４ａ及び第二の掃除用ローラ４ｂを着脱可能に取り外すことができる構成にして、第一の掃除用ローラ４ａ及び第二の掃除用ローラ４ｂ自体を新たなものに交換しても良い。この結果、汚れてきたフェルト素材４１を、新たなフェルト素材４１に簡単に交換できる。
【００３８】
以上の説明のように、本実施の形態に係るキャスター１は、地面に接触するメインローラ３と、メインローラ３より小さなローラ径の円柱形状を有し、その側面が、メインローラ３の外周面に当接しながら回転することによって、メインローラ３の外周面に付着した汚れを落とす掃除用ローラ４を備える。また、掃除用ローラ４は、メインローラ３と当接するその側面がフェルト素材（吸着素材）４１で被覆されている。この構成により、キャスター１は、車輪（メインローラ３）の外周面に付着した汚れを清掃しながら走行して、より簡易な構造で、より効率的に取り除くことができる。すなわち、キャスター１のメインローラ３の外周面に付着した埃、塵、髪の毛や砂といったゴミがそのまま屋外から屋内に持ち込まれ、建物などの屋内の床面を汚すことを未然に防げる。
【００３９】
また、キャスター１が移動機構部５を備えるため、メインローラ３の外周面の清掃が必要な汚れた時にのみ、ブレーキを踏む要領で移動機構部５の操作軸５１を踏み込み掃除状態にできる。具体的には、例えば、屋外に出て屋内に戻った時など必要な時にのみメインローラ３の外周面に付着した汚れを掃除できるため使い勝手が良い。また、開放状態にすることで汚れてきたフェルト素材４１を、新たなフェルト素材４１に簡易に交換できる。
【００４０】
さらに、調整棒５２には、凹部５１ａの下方に延びる突起部５２ｂが形成されていため、ロック状態した際に、この突起部５２ｂがメインローラ３のタイヤを外側から強固に固定して、メインローラ３を確実にロックできる。
【００４１】
またさらに、キャスター１は、掃除用ローラ４とメインローラ３との間の開放状態（交換状態）／掃除状態／ロック状態の３状態を、ブレーキ（すなわち操作軸５１）を踏む／持ち上げる要領で容易に変更することができる。このため、必要な時にのみローラに付着した汚れを簡単に取り落とすことができる上に、非常に使い勝手が良いキャスター１を実現できる。
【００４２】
（変形例１）
本実施の形態１の変形例１について図６を参照して説明する。本変形例１に係るキャスターおいて、操作軸５１には、第一凸部５１ｂと第一凸部５１ｂより大きな第二凸部５１ｃが形成されている。また、調整棒５２の凹部５２ａには、第一凸部５１ｂ及び第二凸部５１ｃと嵌合する第一凹部５２ｄと、第二凹部５２ｅとが形成されている。この構成においても、上記実施の形態と同様の作用効果を奏する。すなわち、操作軸５１を回転することにより、掃除用ローラ４とメインローラ３との間の開放状態（図６（ａ））／掃除状態（図６（ｂ））／ロック状態（図６（ｃ））の３状態を、ブレーキ（操作軸５１）を踏む／持ち上げる要領で容易に変更することができる。なお、この３状態の切り替えを実現するための構造は上述の構造に限定されるものではなく、その他の構造を採用することもできる。
【００４３】
（変形例２）
本実施の形態１の変形例２について図７を参照して説明する。本変形例２において、キャスター７の調整棒５４は、上記実施の形態と比較して、より外方に延出されて、且つ左右の外側２か所で斜め下方に曲折している。この構成においては、上記実施の形態と同様の作用効果を奏することができると共に、側面視でメインローラ３と掃除用ローラ４ａ，４ｂが動物の顔（ネズミなど）のように見える効果がある。
【００４４】
（変形例３）
本実施の形態１の変形例３について図８を参照して説明する。なお、上記と同じ部材には同じ符号を付けその詳細な説明を省略する。
【００４５】
本変形例３において、キャスター８は旋回型や方向自在型と呼ばれるものであり、軸受体２は、プレート部２１と、回転軸２５と、軸受アーム部２２と、車輪軸２３とを備える。この回転軸２５は、プレート部２１と軸受アーム部２２との間に設けられてメインローラ３を旋回自在に移動させるための部材である。
【００４６】
キャスター１の調整棒５５は、例えば図８に示すように１か所で斜め下方に曲折している。この変形例２に係る構成においては、旋回型のキャスターに本願構造を適用することで上記実施の形態と同様の作用効果を奏することができる。
【００４７】
なお、本発明は、上記実施の形態の構成に限られず、発明の趣旨を変更しない範囲で種々の変形が可能である。例えば、本発明に係るキャスターの掃除用ローラを数や配置は上記内容に限定されず、また、移動機構部の構成も上記構成に限定されるものでない。
【符号の説明】
【００４８】
１，７，８  キャスター
２  軸受体
２１  プレート部
２２  軸受アーム部
２２ａ，２２ｂ  アーム部
２３  車輪軸
２４  円孔
２５  回転軸
３  メインローラ
３ａ  車軸を通る線
４  掃除用ローラ
４ａ  第一の掃除用ローラ
４ｂ  第二の掃除用ローラ
４ｃ  掃除用ローラの回転軸
４１  フェルト素材（吸着素材）
５  移動機構部
５１  操作軸
５１ａ  凸部
５１ｂ  第一凸部
５１ｃ  第二凸部
５２，５４，５５  調整棒
５２ａ  凹部
５２ｂ  突起部
５２ｃ  貫通穴
５２ｄ  第一凹部
５２ｅ  第二凹部
５３  係止軸
６  ボルト
６ａ  頭部
７  バネ（弾性体）
【図１】
2019111940.tif 000003
【図２】
2019111940.tif 000004
【図３】
2019111940.tif 000005
【図４】
2019111940.tif 000006
【図５】
2019111940.tif 000007
【図６】
2019111940.tif 000008
【図７】
2019111940.tif 000009
【図８】
2019111940.tif 000010
【図９】
2019111940.tif 000011
【手続補正書】
【提出日】平成30年2月25日(2018.2.25)
【手続補正１】
【補正対象書類名】特許請求の範囲
【補正対象項目名】全文
【補正方法】変更
【補正の内容】
【特許請求の範囲】
【請求項１】
移動体の脚部に用いられるキャスターであって、
地面に接触しながら回転し、当該キャスターが取り付けられた移動体を自在に移動させるためのメインローラと、
前記メインローラより小さなローラ径の円柱形状を有し、その側面が、前記メインローラの外周面に当接しながら回転することにより、前記メインローラの外周面に付着した汚れを落とす掃除用ローラと、を備え、
前記掃除用ローラの側面は、吸着素材で被覆され、
前記吸着素材は、フェルト素材であり、
前記掃除用ローラは、第一の掃除用ローラ及び第二の掃除用ローラから構成され、
前記第一の掃除用ローラ及び前記第二の掃除用ローラは、前記メインローラの外周面に上方から当接し、且つ、前記キャスターの側面視において、前記メインローラの車軸を通る線に対して線対称となる位置にそれぞれが配置され、
前記キャスターは、
前記掃除用ローラと前記メインローラとの当接／非当接の状態の調整により、前記掃除用ローラと前記メインローラとが非接触となる開放状態、前記掃除用ローラと前記メインローラとが軽く接触する掃除状態、又は前記掃除用ローラと前記メインローラとが強く接触するロック状態の調整を可能とし、
前記掃除用ローラは、前記メインローラとの当接／非当接の状態を調整するために、当該掃除用ローラを上下に往復させるための移動機構部に接続され、
前記開放状態にすることで前記フェルト素材を、新たなフェルト素材に交換できる、ことを特徴とするキャスター。
【請求項２】
前記キャスターは、さらに、前記メインローラの車軸を受けるための軸受体を備え、
前記軸受体は、少なくとも、前記移動体の脚部に固定されるプレート部と、下方に延長した一対のアーム部を有して前記メインローラの車軸を回転可能に固定するための軸受アーム部と、を備え、
前記移動機構部は、少なくとも、前記一対のアーム部に形成された円孔に貫通して回転可能に係止されている操作軸を備え、当該操作軸を回転させることにより、前記開放状態、前記掃除状態、又は前記ロック状態の何れかの状態に調整される、ことを特徴とする請求項１記載のキャスター。
【請求項３】
前記移動機構部は、前記操作軸と、少なくとも一部が水平状に延長した略棒状体であって、前記操作軸の回転に伴って上下に往復するようにボルトによって支持された調整棒と、前記調整棒の両端側に一体形成されて前記メインローラの回転方向と直交する方向に沿って延出された係止軸と、を備え、
前記操作軸の前記調整棒と接する側には凸部が形成され、
円柱形状の前記掃除用ローラの回転軸には、前記係止軸が挿入され、
前記調整棒には、前記操作軸の凸部と嵌合して前記操作軸の回転に伴って当該調整棒を上下に往復させるための凹部が形成される、ことを特徴とする請求項２に記載のキャスター。
【請求項４】
前記調整棒には、さらに、下方に延びる突起部が形成されている、ことを特徴とする請求項３に記載のキャスター。
【請求項５】
前記調整棒には前記ボルトが上下方向で貫通するための貫通穴が形成され、
前記ボルトの頭部側には弾性体が通される、ことを特徴とする請求項３又は４に記載のキャスター。
【請求項６】
前記操作軸には、第一凸部と、当該第一凸部より大きな第二凸部とが形成され、
前記調整棒の前記凹部は、前記第一凸部及び前記第二凸部と嵌合する第一凹部と、第二凹部とが形成されている、ことを特徴とする請求項５に記載のキャスター。
【手続補正２】
【補正対象書類名】明細書
【補正対象項目名】０００９
【補正方法】変更
【補正の内容】
【０００９】
上記課題を解決するため、本発明は、移動体の脚部に用いられるキャスターであって、地面に接触しながら回転し、当該キャスターが取り付けられた移動体を自在に移動させるためのメインローラと、前記メインローラより小さなローラ径の円柱形状を有し、その側面が、前記メインローラの外周面に当接しながら回転することにより、前記メインローラの外周面に付着した汚れを落とす掃除用ローラと、を備え、前記掃除用ローラの側面は、吸着素材で被覆され、前記吸着素材は、フェルト素材であり、前記掃除用ローラは、第一の掃除用ローラ及び第二の掃除用ローラから構成され、前記第一の掃除用ローラ及び前記第二の掃除用ローラは、前記メインローラの外周面に上方から当接し、且つ、前記キャスターの側面視において、前記メインローラの車軸を通る線に対して線対称となる位置にそれぞれが配置され、前記キャスターは、前記掃除用ローラと前記メインローラとの当接／非当接の状態の調整により、前記掃除用ローラと前記メインローラとが非接触となる開放状態、前記掃除用ローラと前記メインローラとが軽く接触する掃除状態、又は前記掃除用ローラと前記メインローラとが強く接触するロック状態の調整を可能とし、前記掃除用ローラは、前記メインローラとの当接／非当接の状態を調整するために、当該掃除用ローラを上下に往復させるための移動機構部に接続され、前記開放状態にすることで前記フェルト素材を、新たなフェルト素材に交換できることを特徴とするものである。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】